(57)【要約】腰ベルトと、上半身支持体と、腰ベルトおよび上半身支持体に結合されるハンモックと、ハンモックの各側に延びている腿支持ストラップとを有する、チャイルドキャリア。各腿支持ストラップは、ハンモックに近接する内向き端部部分と、複数の位置において上半身支持体に選択的に結合するために構成される外向き端部部分とを有する。腿支持ストラップが、上半身支持体に結合されると、ハンモックおよび腿支持ストラップは、内向きおよび外向きに顔を向けた向きにおいて、人間工学的な開脚したしゃがんだ位置に子供を支持するための座部を形成する。座部の形状は、腿支持ストラップの外向き端部部分が上半身支持体に結合される位置に応じて順応する。
2016512124.tif 000002
【特許請求の範囲】
【請求項１】
チャイルドキャリアであって、
腰ベルトと、
上半身支持体およびハンモックを形成している１つ以上のパネルであって、前記ハンモックは、前記腰ベルトに結合されている第１の端部分および前記上半身支持体に結合されている第２の端部分を有する、パネルと、
前記ハンモックの各側に延びている腿支持ストラップであって、各腿支持ストラップは、前記ハンモックに近接する内向き端部部分と、外向き端部部分とを有し、前記外向き端部部分は、複数の位置において前記上半身支持体に選択的に結合するために構成され、前記ハンモックおよび前記腿支持ストラップは、内向きに顔を向けた向きおよび外向きに顔を向けた向きにおいて、人間工学的な開脚したしゃがんだ位置に子供を支持するための調節可能座部を形成するように適合され、前記座部の形状は、前記腿支持ストラップの前記外向き端部部分が前記上半身支持体に結合される位置に応じて順応する、腿支持ストラップと、
一組の肩ストラップであって、各肩ストラップは、前記上半身支持体に結合されている第１の端部、および前記上半身支持体に結合されている第２の端部を有する、肩ストラップと
を備えている、チャイルドキャリア。
【請求項２】
前記上半身支持体は、前記腿支持ストラップの各々のための複数の取り着け点を備えている、請求項１に記載のチャイルドキャリア。
【請求項３】
各腿支持ストラップの前記外向き端部は、前記上半身支持体上の機械的留め具を受け取るための開口部を備えている、請求項１または請求項２のいずれか一項に記載のチャイルドキャリア。
【請求項４】
各腿支持ストラップは、パッド入りである、請求項１に記載のチャイルドキャリア。
【請求項５】
各腿支持ストラップは、前記外向き端部が前記上半身支持体に結合されている場合、子供の骨盤、臀部、および腿の一部を巻くようにサイズ決定されている、請求項１に記載のチャイルドキャリア。
【請求項６】
前記キャリアは、正面保持、背面保持および側面保持位置において、装着者によって選択的に装着されるように適合されている、請求項１に記載のチャイルドキャリア。
【請求項７】
前記キャリアは、正面外向きに顔を向けた向き、および正面内向きに顔を向けた向きの各々において、前記人間工学的な開脚したしゃがんだ位置に前記子供を支持するように適合されている、請求項１に記載のチャイルドキャリア。
【請求項８】
前記チャイルドキャリアは、前記装着者に対して前記子供の体重を均一に分散させるように適合されている、請求項１に記載のチャイルドキャリア。
【請求項９】
前記上半身支持体の側方中心線の第１の側への第１の複数のボタンであって、前記腿支持ストラップのうちの第１のものは、前記第１の複数のボタンに選択的に結合可能である、第１の複数のボタンと、
前記上半身支持体の前記側方中心線の第２の側への第２の複数のボタンであって、前記腿支持ストラップのうちの第２のものは、前記第２の複数のボタンに選択的に結合可能である、第２の複数のボタンと
をさらに備えている、請求項１に記載のチャイルドキャリア。
【請求項１０】
各腿支持ストラップは、前記外向き端部部分が前記上半身支持体に結合されていないとき、前記内向き端部部分から前記外向き端部部分に側方外向きに角度付けられている、請求項１に記載のチャイルドキャリア。
【請求項１１】
前記上半身部分に結合されている調節可能カラーをさらに備え、前記調節可能カラーは、延長位置および非延長位置に固定可能である、請求項１に記載のチャイルドキャリア。
【請求項１２】
前記腰ベルトは、調節可能腰ベルトを備えている、請求項１に記載のチャイルドキャリア。
【請求項１３】
子供をチャイルドキャリア内に位置付ける方法であって、
腰ベルトをユーザの腰の周囲に締めることと、
前記ベルトに結合されている内向き端部部分および上半身支持体に結合されている外向き端部部分を有するハンモック内に子供を位置付けることと、
第１の腿支持ストラップを前記子供の第１の腿下に巻き、第２の腿支持ストラップを前記子供の第２の腿下に巻くことであって、各腿支持ストラップは、内向き端部および外向き端部を有する、ことと、
複数の取り着け点から選択された取り着け点において、前記第１の腿ストラップの外向き端部を前記上半身支持体に留め、前記第２の腿ストラップの外向き端部を前記上半身支持体に留めることにより、前記ハンモック、前記第１の腿支持ストラップ、および前記第２の腿支持ストラップによって形成される座部の形状を調節することであって、前記座部は、内向きに顔を向けた向き、および外向きに顔を向けた向きにおいて、人間工学的な開脚したしゃがんだ位置に前記子供を支持するように適合されている、ことと、
少なくとも一方の腕を一組の肩ストラップの中に挿入することであって、各肩ストラップは、前記上半身支持体に結合されている第１の端部、および前記上半身支持体に結合されている第２の端部を有する、ことと
を含む、方法。
【請求項１４】
前記子供を内向きに顔を向けた向きに向けることをさらに含み、前記座部は、前記内向きに顔を向けた向きにおいて、前記人間工学的な開脚したしゃがんだ位置に前記子供を支持する、請求項１３に記載の方法。
【請求項１５】
前記第１の腿支持ストラップおよび第２の腿支持体を使用して、前記座部の形状を再調節することと、
前記子供を外向きに顔を向けた向きに向け直すことであって、前記座部は、前記外向きに顔を向けた向きにおいて、前記人間工学的な開脚したしゃがんだ位置に前記子供を支持する、ことと
をさらに含む、請求項１３または請求項１４のいずれか一項に記載の方法。
【請求項１６】
前記チャイルドキャリアは、正面保持位置、側面保持位置、および背面保持位置に装着されるように適合されている、請求項１３に記載の方法。
【請求項１７】
調節可能カラーを延長位置または非延長位置に固定することをさらに含む、請求項１３に記載の方法。
【請求項１８】
前記腰ベルトを締めることは、前記腰ベルトを固定することをさらに含む、請求項１３に記載の方法。
【請求項１９】
前記一組の肩ストラップを固定することをさらに含み、それによって、前記子供の体重の重心は、前記ユーザにより近接して支持される、請求項１１に記載の方法。
【請求項２０】
前記チャイルドキャリアは、
前記上半身支持体の側方中心線の第１の側への第１の複数のボタンであって、前記腿支持ストラップのうちの第１のものは、前記第１の複数のボタンに選択的に結合可能である、第１の複数のボタンと、
前記上半身支持体の前記側方中心線の第２の側への第２の複数のボタンであって、前記腿支持ストラップのうちの第２のものは、前記第２の複数のボタンに選択的に結合可能である、第２の複数のボタンと
をさらに備えている、請求項１１に記載の方法。
【請求項２１】
各腿支持ストラップの前記外向き端部は、前記上半身支持体上の機械的留め具を受け取るための開口部を備えている、請求項１１に記載の方法。
【請求項２２】
各腿支持ストラップは、パッド入りである、請求項１１に記載の方法。
【請求項２３】
各腿支持ストラップは、前記外向き端部部分が前記上半身支持体に結合されていないとき、前記内向き端部部分から前記外向き端部部分に側方外向きに角度付けられている、請求項１１に記載の方法。
【請求項２４】
前記キャリアは、前記上半身部分に結合されている調節可能カラーをさらに備え、前記調節可能カラーは、延長位置および非延長位置に固定可能である、請求項１１に記載の方法。
【発明の詳細な説明】
【技術分野】
【０００１】
（関連出願）
本願は、米国特許法§１１９（ｅ）に基づき、米国仮特許出願第６１／７８０，１６１号（２０１３年３月１３日出願、名称「Ｉｎｆａｎｔ  Ｃａｒｒｉｅｒ」）の優先権を主張し、上記出願は、参照により本明細書にその全体が援用される。
【０００２】
（技術分野）
本開示は、チャイルドキャリアに関する。さらにより具体的には、本開示は、複数の向きにおいて子供を人間工学的に保持するためのシステムに関する。
【背景技術】
【０００３】
装着式チャイルドキャリアは、装着者に、キャリア内に固定される子供を運びながら、手および腕の移動の自由を与える。多くのキャリアは、人間工学的に子供を支持せず、子供の脚部をぶらぶらさせる。さらに、多くのキャリアは、限定された柔軟性を提供し、子供が、装着者に顔を向けて、または装着者から外向きにのいずれかにおける単一向きに適切に向けられることのみを可能にする。
【発明の概要】
【課題を解決するための手段】
【０００４】
本明細書に開示される実施形態は、ユーザの腰を一周するために構成される腰ベルトと、上半身支持体およびハンモックを形成する１つ以上のパネルと、ハンモックの各側に延びている腿支持ストラップとを有する、チャイルドキャリアを対象とし得る。各腿支持ストラップは、ハンモックに近接する内向き端部部分と、複数の位置において上半身支持体に選択的に結合するために構成される外向き端部部分とを有し得る。腿支持ストラップが、上半身支持体に結合されると、ハンモックおよび腿支持ストラップは、調節可能籠型座部を形成し、子供を人間工学的な開脚したしゃがんだ位置に支持する。座部の形状は、腿支持ストラップの外向き端部部分が上半身支持体に結合される位置に順応し、それに依存する。キャリアは、背面保持位置、正面保持位置、および側面保持位置を含む、複数の位置と、内向きに顔を向けた向きおよび外向きに顔を向けた向きを含む複数の向きとにおいて、子供を人間工学的な開脚したしゃがんだ位置に支持するように構成可能であることができる。
【０００５】
いくつかの実施形態では、各腿支持ストラップは、外向き端部が上半身支持体に結合されている場合、子供の骨盤、臀部、および腿の一部を巻くようにサイズ決定される。各腿支持ストラップは、外向き端部部分が上半身支持体に結合されていないとき、内向き端部部分から外向き端部部分に側方外向きに角度付けられることができる。
【０００６】
上半身支持体は、腿支持ストラップの各々のための複数の取り着け点を備えていることができる。一例として、限定ではないが、チャイルドキャリアは、腿支持ストラップのうちの第１のものが選択的に結合し得る、上半身支持体の側方中心線の第１の側への第１の複数のボタンと、腿支持ストラップのうちの第２のものが選択的に結合し得る、上半身支持体の側方中心線の第２の側への第２の複数のボタンとを含み得る。各腿支持ストラップの外向き端部は、上半身支持体上のボタンまたは他の留め具等の機械的留め具を受け取るための開口部を含むことができる。
【０００７】
いくつかの実施形態では、チャイルドキャリアはさらに、一組の肩ストラップを含み得、各肩ストラップは、上半身支持体に結合されている第１の端部と、上半身支持体に結合されている第２の端部とを有する。肩ストラップおよび腰ベルトは、子供の体重を装着者に対して均一に分散させる、ハーネスを形成することができる。ある場合には、体重は、子供の体重の大部分が、腰ベルトを通して装着者の腰回りに分散されるように分散されることができる。キャリアは、装着者の正面、背面、または側面において、ユーザによって装着されるように構成可能であることができ、子供の体重は、それぞれ、正面、背面、または側面位置において、装着者の重心近傍において、かつ装着者の正面、背面、または側面に近接して保持される。
【０００８】
別の広義の側面では、実施形態は、子供をチャイルドキャリア内に位置付ける方法を対象とし得る。本方法は、腰ベルトをユーザの腰の周囲に締めることと、子供をベルトに結合されている内向き端部部分および上半身支持体に結合されている外向き端部部分を有するハンモック内に位置付けることと、第１の腿支持ストラップを子供の第１の腿下に、第２の腿支持ストラップを子供の第２の腿下に巻くことと、複数の取り着け点から選択された取り着け点において、第１の腿ストラップの外向き端部を上半身支持体に、第２の腿ストラップの外向き端部を上半身支持体に留めることにより、ハンモックによって形成される座部の形状を調節することとを含み得る。第１の腿支持ストラップ、第２の腿支持ストラップ、およびハンモックは、子供を人間工学的な開脚したしゃがんだ位置に支持する、調節可能籠型座部を形成し得る。いくつかの実施形態では、各腿支持ストラップは、ハンモックの側面に結合される第１の端部を有する。
【０００９】
いくつかの実施形態では、本方法はさらに、少なくとも一方の腕を一組の肩ストラップの中に挿入することを含み得、各肩ストラップは、上半身支持体に結合されている第１の端部、および上半身支持体に結合されている第２の端部を有する。いくつかの実施形態では、チャイルドキャリアは、ユーザの正面に位置付けられる。いくつかの実施形態では、子供は、外向きに顔を向けてまたは内向きに顔を向けて位置付けられる。キャリア座部は、寛骨臼の全面積が等しく緊張されるように、大腿部を股関節または寛骨臼内に正しく位置付ける、人間工学的「開脚したしゃがんだ位置」に子供を位置付けるように適合されることができる。
【００１０】
本開示およびその種々の特徴および有利な詳細は、付随の図面に図示され、以下の説明に詳述される、例示的、したがって、非限定的である、実施形態を参照して、より完全に説明される。公知の出発材料およびプロセスの説明は、本開示の詳細を不必要に曖昧にしないように、省略され得る。しかしながら、発明を実施するための形態および具体的実施例は、好ましい実施形態を示すが、限定としてではなく、例証として与えられるにすぎないことを理解されたい。本発明の根本概念の精神および／または範囲内にある種々の代用、修正、追加、および／または再配列は、本開示から、当業者に明白となるであろう。
【図面の簡単な説明】
【００１１】
付随の本明細書を形成する図面は、本発明のある側面を描写するために含まれる。本発明のより明確な印象は、同じ参照番号が同一構成要素を指定する、図面に例証される、例示的であって、したがって、限定ではない実施形態を参照することによって、より明白となるであろう。図面に図示される特徴は、必ずしも、正確な縮尺で描かれていないことに留意されたい。
【図１Ａ】図１Ａ、１Ｂ、および１Ｃは、チャイルドキャリア内に保持される子供の一実施形態を図示する、概略表現である。
【図１Ｂ】図１Ａ、１Ｂ、および１Ｃは、チャイルドキャリア内に保持される子供の一実施形態を図示する、概略表現である。
【図１Ｃ】図１Ａ、１Ｂ、および１Ｃは、チャイルドキャリア内に保持される子供の一実施形態を図示する、概略表現である。
【図２Ａ】図２Ａ、２Ｂおよび２Ｃは、チャイルドキャリアの一実施形態の概略表現である。
【図２Ｂ】図２Ａ、２Ｂおよび２Ｃは、チャイルドキャリアの一実施形態の概略表現である。
【図２Ｃ】図２Ａ、２Ｂおよび２Ｃは、チャイルドキャリアの一実施形態の概略表現である。
【図３】図３は、チャイルドキャリアの別の実施形態の概略表現である。
【図４】図４Ａおよび４Ｂは、チャイルドキャリアの一部の一実施形態の概略表現である。
【図５Ａ】図５Ａ、５Ｂおよび５Ｃは、チャイルドキャリア装着の実施形態を図示する、概略表現である。
【図５Ｂ】図５Ａ、５Ｂおよび５Ｃは、チャイルドキャリア装着の実施形態を図示する、概略表現である。
【図５Ｃ】図５Ａ、５Ｂおよび５Ｃは、チャイルドキャリア装着の実施形態を図示する、概略表現である。
【図６】図６は、側面保持位置におけるチャイルドキャリアの一実施形態の概略表現である。
【図７】図７は、背面保持位置におけるチャイルドキャリアの一実施形態の概略表現である。
【発明を実施するための形態】
【００１２】
チャイルドキャリアおよび関連方法ならびにその種々の特徴および有利な詳細は、付随の図面に図示され、以下の説明に詳述される、非限定的実施形態を参照することによって、より完全に説明される。周知の出発材料、処理技法、構成要素、および機器の説明は、詳細において本発明を不必要に曖昧にしないように省略される。しかしながら、発明を実施するための形態および具体的実施例は、本発明の好ましい実施形態を示すが、例証として与えられるにすぎず、限定ではないことを理解されたい。本発明の根本概念の精神および／または範囲内の種々の代用、修正、追加、および／または並べ替えは、本開示から当業者に明白となるであろう。
【００１３】
本開示は、子供を支持し、子供の骨盤および腿を好ましい人間工学的位置に維持する様式において、幼児を含む子供が保持されることを可能にする、チャイルドキャリアに関する。本明細書に説明される実施形態はまた、子供が、外向きに顔を向けた向き（すなわち、子供を保持する人から離れて面する）または内向きに顔を向けた向き、（すなわち、子供を保持する人に向かって面する）に保持されることを可能にし、さらに、子供が、子供を保持する人の正面または背面または側面に保持されることを可能にする。特に、本明細書に説明される実施形態は、外向きに顔を向けた向きおよび内向きに顔を向けた向き、の両方において、子供の臀部、骨盤、および腿を所望の位置に支持する、キャリアを提供する。キャリアは、装着者の正面、背面、または側面において、ユーザによって装着されることができ、子供の体重は、それぞれ、正面、背面または側面位置において、装着者の重心の近傍において、かつ装着者の正面、背面、または側面に近接して保持される。
【００１４】
一実施形態によると、上半身支持体は、保持される場合、子供の背面または正面胴体を人間工学的に支持する。加えて、ハンモック中心体および支持用腿ストラップは、協働し、調節可能腿支持籠型座部を生成することができる。上半身支持体上に位置する複数の位置決めアタッチメントは、支持用腿ストラップが、人間工学的な開脚したしゃがんだ位置に保持されている場合、子供の腿にぴったりつくように移動することを可能にする。腿ストラップは、ボタンまたは他の取り付け機構を介して、上半身パネルに取り付くことができる。調節可能籠型座部は、子供が種々の向きに保持されている場合、子供の腰回り、骨盤、臀部、および両上腿を支持することができる。これは、内向きの前向きに顔を向けた腰回り位置における子供にとってより広い範囲の移動を可能にすることができる。調節可能籠型座部は、腰バンドに、いくつかの実施形態では、肩ストラップに取り付けられることができる。
【００１５】
キャリアは、装着者にとっても同様に人間工学的であることができる。パッド入り腰ベルトおよび肩ストラップは、体重を装着者に対して均一に分散させながら、キャリアを正面、側面、または背面保持位置に位置付け得る、構成可能ハーネスを形成することができる。ハーネスは、上半身パネルおよび支持用かつ調節可能な籠型座部が、子供を装着者の重心に近接して位置付け、子供の体重を均一に分散させるように調節され得る。
【００１６】
図１Ａは、成人装着者によって装着される、チャイルドキャリア１００内の内向きに顔を向けた向き、に保持される子供の一実施形態の概略表現である。図１Ｂは、内向きに顔を向けた向き、における、チャイルドキャリア１００内に保持される子供の一実施形態の別の図の概略表現である。図１Ｃは、チャイルドキャリア１００内に外向きに顔を向けた向きで保持される子供の一実施形態の概略表現である。
【００１７】
キャリア１００は、腰ベルト１１０と、上半身支持体部分１３０およびハンモック部分１２０を有する主要本体１１２と、腿支持ストラップ１４０と、肩ストラップ１５０とを備えている。子供は、装着者の胴体と協働する主要本体１１２によって生成される、子供保持領域内に支持されることができる。上半身支持体部分１３０は、子供の背面または正面胴体を人間工学的に支持する一方、ハンモック部分１２０は、腿支持ストラップ１４０と協働し、支持用かつ調節可能な籠型座部１６０を形成する。腰ベルト１１０および肩ストラップ１５０は、子供の体重を装着者に対して分散させる、ハーネスを提供する。
【００１８】
ハンモック部分１２０および腿支持ストラップ１４０は、子供保持領域の内向き側（装着者の胴体により近接する側）から外向き側に通過し、座部１６０を形成することができる。支持用かつ調節可能な座部１６０は、内向き側から外向き側および左から右に略凹面内側プロファイルを伴う、籠型座部であることができる。座部側縁１６２、１６４は、座部の中心より高くあることができ、側縁が、子供の脚部がぶらぶらしないよう、子供の腰回りからある距離において、子供の腿の下およびその周囲を通過するように離間されることができる。いくつかの実施形態では、腿支持ストラップ１４０上のパッドは、追加の支持体を提供し得る。
【００１９】
調節可能籠型座部１６０は、座部の第１の側縁１６２から座部の第２の側縁１６４に連続することができる。この目的を達成するために、腿支持ストラップ１４０の内側側縁１４８は、ストラップ１４０の長さの全部またはかなりの部分に沿って、ハンモック部分１２０に重複し得る。しかしながら、ある場合には、子供の体重は、腿支持ストラップ１４０とハンモック部分１２０との間にある程度の広がりを生じさせ得る。間隙を最小限にするために、弾性材料または他の付勢機構が、腿支持ストラップ１４０を一緒に引き寄せ、間隙を覆うために提供され得る。
【００２０】
座部側縁１６２、１６４は、腿支持ストラップ１４０の外側縁によって形成され得る（例えば、座部の最左縁が腿支持ストラップ１４０の縁によって形成され、座部の最右縁が別の腿支持ストラップ１４０の縁によって形成されるように）。側縁１６２と１６４との角度または分離は、座部１６０の形状を調節するように調節され得る。各腿支持ストラップ１４０の外向き端部部分は、複数の場所において、上半身支持体部分１３０に結合し、座部１６０の形状が調節されることを可能にし得る。例えば、第１の座部形状は、内向きに顔を向けた位置における子供にとってより快適であり得る一方、第２の座部形状は、外向きに顔を向けた位置における子供にとってより快適であり得る。
【００２１】
調節可能籠型座部は、子供を人間工学的な開脚したしゃがんだ位置に支持するように構築され、子供の骨盤、臀部、および腿の全てが、支持される。子供の体重は、子供が、子供の体重が主に仙骨上にかかった状態で座るのではなく、座部内にしゃがむように支持されることができる。子供は、膝が臀部より高い、ある場合には、９０度高い状態で支持されることができる。籠型座部は、子供の臀部が支持される、子供の腰回りより広いスリングまたはパウチを形成することができる。側縁は、子供の腰回りからある距離において、子供の腿の下およびその周囲を通過し、子供の腿の下およびその周囲を通過する側縁の部分は、子供の膝を持ち上げるために、子供の臀部より高い。腿支持ストラップ１４０は、外向きに顔を向けた向き（例えば、図１Ｃ参照）では、子供の腿の内側に巻き付く側縁の一部が子供の脚部が広げられるように促し得るように、十分な剛度を有することができる。内向きに顔を向けた向き、（例えば、図１Ｂ参照）では、子供の腿は、腿支持ストラップまたは装着者の胴体によって広げられるように促され得る。
【００２２】
人間工学的な開脚したしゃがんだ位置（また、「カエル足」、「カエル」、または「しゃがんだ開脚」位置としても知られる）では、股関節における撓曲は、冠状面から少なくとも９０°、ある場合には、１１０°〜１２０°であり、開脚角度は、正中面から平均約４５〜５５°であることができる。股関節および開脚の角度は、キャリアの形状因子および子供の発達段階に依存し得る。一実施形態では、キャリアは、子供の大腿部が冠状面から約９０°〜１１０°にある位置（または、他の高さ位置）に子供を支持し、子供の膝がある開脚量を伴うように位置付けるように適合されることができる。開脚量は、子供の発達段階および向きに依存し得、新生児は、３０°未満、次第に約３０°、次第に約３５°〜４０°等を有し、最終開脚は、約４０°〜４５°であるが、他の開脚量も含まれるように達成され得る（例えば、約５５°）。一実施形態では、開脚は、正中面から少なくとも２０°度であり得る。子供の体重は、仙骨があまり多くの体重を支承することがなく、かつ子供が、骨盤発達により優れていると考えられる開脚したしゃがんだ位置において、より自然に湾曲した「Ｃ」脊柱状態で休み得るように、子供の臀部、腿、および背面を横断して分散されることができる。ある場合には、膝は、開脚されない。しかしながら、子供が、主に、その仙骨上に座る姿勢ではなく、好ましくは、支持姿勢を強調する、任意の快適な位置に子供が位置付けられることができることに留意されたい。
【００２３】
キャリア１００は、キャリア１００と装着者の胴体との間で座部１６０のための側面脚部開口部を提供するように成形され得る。例えば、上半身部分１３０が、子供の側面を包むために十分に広い場合、キャリア１００は、座部１６０が、子供の脚部が子供保持領域から通過するための側面開口部を提供するために、上半身支持体部分１３０より狭くなるように成形され得る。
【００２４】
肩ストラップ１５０は、キャリア１００の側方中心線の両側にループを形成するように構成されることができる。各肩ストラップ１５０は、複数の場所において、上半身支持体部分１３０に接続し、上半身支持体部分１３０を装着者に向かって引っ張り得る。肩ストラップはまた、腿支持ストラップまたはキャリア１００の他の部分に結合し得る。肩ストラップ１５０は、調節可能であり得、ある場合には、側面保持位置または背面保持位置等、複数のキャリア位置を支持するように再構成されることができる。
【００２５】
腰ベルト１１０は、パッド入りであり、装着者の腰回り上に置かれるように構成され得る。好ましくは、ハーネスは、子供の体重が、装着者の腰回りおよび肩に対して均一に分散されるように、かつさらにより好ましくは、子供の体重が、装着者の腰回りおよび肩に、ある場合には、主に、肩ではなく、装着者の腰回りに対して均一に分散されるように構成される。ある場合には、７０％またはそれを上回る子供の体重が、腰ベルト１１０を通して、装着者の腰回りに分散され、それによって、装着者の快適性を助長し、装着者の疲労を減少させることができる。
【００２６】
子供は、子供の臀部をハンモック部分１２０内に位置付け、腿支持ストラップ１４０を子供の脚部の下およびその周囲に巻き付け、腿支持ストラップ１４０を上半身支持体部分１３０に結合することによって、キャリア１００内に位置付けられ得る。子供をキャリア１００内に位置付けることは、子供をキャリア１００内に固定すること、例えば、上半身支持体部分１３０を肩ストラップ１５０に結合することを含み得る。
【００２７】
キャリア１００は、上半身支持体部分１３０を延長し得る、調節可能カラー１７０を含むことができる。延長されると、調節可能カラー１７０は、内向きに顔を向けた向き、に座らされたより背の高い子供のための追加の支持を提供することができるが、子供が外向きに顔を向けた向きに座らされているとき、子供の顔が妨害されないように、折り返されることができる。非延長位置では、調節可能カラー１７０は、より小さい子供のための追加の首支持を提供することができる。
【００２８】
限定ではないが、ボタン、スナップ、ｄリングおよびクリップまたはフック、面ファスナ材料のパッチ、または他の固定機構等の相補的延長位置固定機構および相補的非延長位置固定機構が、調節可能カラー１７０が、延長位置に固定されるか、または非延長位置に折り返され固定され得るように、提供されることができる。図示される実施形態では、例えば、調節可能カラー１７０は、延長位置に固定するための肩ストラップ１５０のボタン１７４を受け取るため、および、折り返し位置に固定するための上半身支持体部分１３０の外側側面上のボタン１７２を受け取るためのボタンホールを含むことができる。
【００２９】
図２Ａは、腿支持ストラップが上半身支持体部分１３０から分断された、キャリア１００の一実施形態の内側側面の概略表現である。図２Ａでは、腰バンド１１０は、キャリア１００の一実施形態の追加の特徴を示すために折り返されている。図２Ｂは、腰ベルト１１０がその下方（装着準備ができた）位置にあり、腿支持ストラップ１４０が上半身支持体部分１３０に結合された、キャリア１００の外側側面の一実施形態の概略表現である。
【００３０】
上半身支持体部分１３０は、単一の材料の部品または複数の材料の部品、複数の材料の層、あるいは複数の材料から形成される、１つ以上のパネルを含み得る。例えば、いくつかの実施形態では、上半身支持体は、子供の皮膚に対する快適性のために選択された内側層と、通気性、ファッション性、汚れ防止性等のために選択された外側層とともに形成され得る。上半身支持体は、直線縁、幅増加または幅減少領域のためのテーパ縁を有し得るか、あるいは子供またはユーザの快適性または安全性のために別様に構成され得る。
【００３１】
ハンモック部分１２０は、腰ベルト１１０または他の構造と上半身支持体部分１３０との間に形成され得る。ハンモック部分１２０は、側方縁２０２、２０４と、腰ベルト１１０またはキャリア１００の他の部分に結合される第１の端部分２０６と、上半身支持体部分１３０に結合される第２の端部分２０８と、側方縁２０２、２０４、第１の端部分２０６、および第２の端部分２０８間に延びる、中心ハンモック部分とを備え得る。ハンモック部分１２０の側方縁２０２および２０４は、直線、湾曲、または側方にテーパ状であり得る。
【００３２】
ハンモック部分１２０は、単一の材料の部品から形成され得るか、あるいは複数の材料の部品、複数の材料の層、または複数の材料から形成され得る。上半身支持体部分１３０とハンモック部分１２０との間の接合部は、実質的に、継ぎ目のない遷移であり得る。例えば、一実施形態では、ハンモック部分１２０および上半身支持体パネル２００は、１つ以上の材料の層の単一構造を備え得る。他の実施形態では、接合部は、上半身支持体部分１３０とハンモック部分１２０との間を区切る継ぎ目、縁、または他の特徴を含み得る。
【００３３】
腿支持ストラップ１４０は、ハンモック中心部分の両側に延びるように提供されることができる。各腿支持ストラップは、第１の端部分２１２と、第２の端部分２１４とを含むことができる。各腿支持ストラップは、第１の端部分２１２から第２の端部２１４に延び得る、座部外側縁１６２、１６４と第２の腿支持ストラップ内側縁１４８とを含むことができる。各腿支持ストラップ１４０の第１の端部分２１２は、腰ベルト１１０または他の構造に結合されことができ、第２の端部分２１４は、キャリアが装着されている場合、第１の端部分２１２が第２の端部分２１４より内向きに（装着者により近く）なるように、上半身支持体部分１３０または他の構造に結合されることができる。腿支持ストラップ１４０は、使用時、子供の腿の下および周囲を通過するように構成され得る。
【００３４】
各腿支持ストラップ１４０の端部分のうちの少なくとも１つは、選択的に結合され得る。故に、キャリア１００は、第１の端部分２１２または第２の端部分２１４を固定するための固定機構を含むことができる。固定機構は、限定ではないが、ボタン、スナップ、ｄリングおよびクリップまたはフック、面ファスナ材料のパッチ、または他の固定機構等の任意の好適な機構を含むことができる。ある場合には、端部分は、複数の場所に固定されることができる。
【００３５】
図２Ａの実施形態では、腿支持ストラップ１４０の第１の端部分２１２は、ハンモック部分１２０、腰ベルト１１０、または、キャリア１００が装着された場合に子供保持領域の内向き側となるキャリア１００の他の部分に縫合されるか、接着されるか、それとの単一部品として形成されるか、または別様にそれに固定して接合される。第１の端部分２１２は、腿支持ストラップ１４０が、外向きに（装着者から離れるように）揺動することを可能にする、可撓性ヒンジ２３０を形成する様式で結合され得る。
【００３６】
ヒンジ２３０は、限定ではないが、腿支持ストラップ１４０の第１の端部縁をハンモック部分１２０の側方縁２０２または２０４あるいは他の構造に縫合または別様に接合することを含む、任意の好適な機構によって形成され得る。各ヒンジ２３０の回転軸はキャリア１００が平坦構成にあるとき、キャリア１００の側方中心線（２３４に示される）に平行に、または別の角度となるように選択されることができる。一実施形態によると、ヒンジ２３０は、回転軸がヒンジ２３０の第１の端部からヒンジ２３０の第２の端部に側方に傾斜するように向けられ、第１の端部は、上半身支持体部分１３０により近接する端部である。ヒンジ軸は、側方中心線に対して所望の角度で傾斜し得るが、好ましくは、４５度未満、さらにより好ましくは、２５度未満で外向きに傾斜する。いくつかの実施形態では、ヒンジ軸は、キャリアが平坦構成にあるとき、角度１０度〜２５度で側方中心線に対して外向きに傾斜する。
【００３７】
第２の端部分２１４は、キャリア１００に選択的に結合されることができる。例えば、上半身部分１３０は、各腿支持ストラップ１４０が、複数の場所に選択的に固定され得るように（例えば、ボタンホール２０３または他の固定機構を使用して）、側方中心線２３４の両側に複数のボタンまたは他の固定機構を含み得る。第２の端部分１４４は、子供の腿の下を通過する、部分縁１６２および１６４が、子供の膝を持ち上げるために、子供の臀部および骨盤より高くなるように、上半身部分１３０に結合し得る。いくつかの実施形態では、各腿支持ストラップ１４０の第２の端部１４４（装着者からより遠い端部）は、キャリア１００が装着されると、第１の端部より高くなる。第２の端部分２１４はまた、他の場所において、キャリア１００に固定し得る。
【００３８】
腿支持ストラップ１４０は、使用時、子供の腿の下およびその周囲を通過するように構成され得る。腿支持ストラップ１４０の第２の端部２１４が、上半身支持体部分１３０に結合されると、腿支持ストラップ１４０およびハンモック部分１２０は、一組の第１の側縁１６２から座部の第２の側縁１６４まで延びる、支持用籠型座部を形成する。座部の第１の側縁１６２は、第１の腿支持ストラップ１４０の側方外側側縁によって形成され、座部の第２の側縁１６４は、第２の腿支持ストラップ１４０の側方外側側縁によって形成される。いくつかの実施形態では、腿支持ストラップ１４０上のパッドは、子供の腿を持ち上げるための追加の支持を提供し得る。
【００３９】
布地ブリッジ２４０は、付勢機構を提供し、腿支持ストラップ１４０の内側縁１４８を互に向かって引っ張り、間隙を防止することができる。布地ブリッジ２４０はまた、ハンモック部分１２０と腿支持ストラップ１４０との間の間隙を覆うのに役立ち得る。一実施形態では、布地ブリッジ２４０は、ハンモック部分１２０に結合され得る。
【００４０】
ある場合には、座部の幅は、上半身支持体部分１３０の幅未満であり得る。一実施形態では、座部の幅は、上半身支持体部分１３０の幅より狭くあり得、肩ストラップ１５０の下端は、上半身支持体部分１３０に結合する（例えば、一実施形態のための図２Ｂの領域２６０に示される）。この目的を達成するために、上半身支持体部分１３０の側方縁は、ハンモック部分１２０の側方縁２０２および２０４（図２Ａ）に遷移し、内向きにテーパ状になり、側面脚部開口部の上縁としての機能を果たし得る、水平傾斜または湾曲遷移縁部分２５０を形成する。キャリア１００が装着されると、上半身支持体部分１３０は、遷移縁２５０ならびに座部縁１６２および１６４によって形成される開口部を残して、子供の側面を包み込み得る（例えば、図１Ａおよび１Ｃに図示されるように）。子供の脚部および腕は、遷移縁２５０の下で、子供保持領域の外へ通り得る。
【００４１】
図２Ｃを参照すると、いくつかの実施形態では、調節可能カラー１７０は、子供の頭部および／または首を支持し得る。調節可能カラー１７０は、子供が面する方向（すなわち、内向きまたは外向き）、子供のサイズ、または他の基準に従って位置付けられ得る。調節可能カラー１７０は、別個の材料の部品または別個の材料から形成され、上半身支持体部分１３０に接合され得るか、または調節可能カラー１７０および上半身支持体部分１３０は、調節可能カラー１７０が、上半身支持体部分１３０に対して回転可能であり、調節可能カラー１７０が延長または折り返され得るように、同一材料または材料の部品から形成され得る。
【００４２】
図３は、腰ベルト３１０と、ハンモック部分３２０および上半身支持体部分３３０を有する主要本体３１２と、腿支持ストラップ３４０と、肩ストラップ３５０とを備えているチャイルドキャリア１００に類似するチャイルドキャリア３００の別の実施形態の概略表現である。子供は、装着者の胴体と協働する主要本体３１２によって生成される子供保持領域内に支持されることができる。上半身支持体部分３３０は、保持されている場合に子供の背面または正面胴体を人間工学的に支持し、ハンモック部分３２０は、腿支持ストラップ３４０と協働し、支持用籠型座部を形成する。
【００４３】
腰ベルト３１０および肩ストラップ３５０は、子供の体重を装着者に対して分散させる、ハーネスを提供する。肩ストラップ３５０および腰ベルト３１０は、ハーネスが子供の体重を装着者に対して均一に分散させるように調節可能であることができる。ある場合には、ハーネスは、前述のように、腰ベルト３１０を通して子供の体重の大部分を装着者に対して分散させるように調節可能であることができる。
【００４４】
肩ストラップ３５０の第１の端部および肩ストラップ３５０の第２の端部は、上半身支持体部分３３０に結合し、上半身支持体部分３３０を装着者に向かって引っ張り、それによって、子供の胴体を支持するループを形成し得る。肩ストラップ３５０は、キャリアが、正面保持位置、背面保持位置、または側面保持位置に装着され得るように、再構成可能であり得る。
【００４５】
一実施形態によると、腰ベルト３１０は、調節可能腰バンドを備えている。腰ベルトの第１の端部分３１４は、実質的に、装着者を巻くために十分に長くあり得、外側側面上の面ファスナ材料の領域を含み得る。ある場合には、面ファスナ材料の領域は、実質的に、装着者を巻くために十分に長くあり得る。第２の端部分３１６は、内側側面上に面ファスナ材料の領域を含み得る。第１の部分３１４および第２の部分３１６上の面ファスナ材料は、腰ベルト３１０を広範囲のサイズ（例えば、２６〜５５インチ／６６〜１４０ｃｍまたは他の範囲のサイズ）に調節するために使用され、特に、Ｃ−セクションの場合、快適性を最大限にするために高または低位に装着され、背下部支持を提供することができる。他の固定機構もまた、使用され得る。さらに、任意の好適な腰ベルトが、使用され得る。
【００４６】
上半身支持体部分３３０は、主要上半身支持体パネル３３２を含み得る。上半身支持体パネル３３２は、単一材料の部品から形成され得るか、または複数の材料の部品、複数の材料の層、または複数の材料から形成され得る。例えば、いくつかの実施形態では、上半身支持体パネル３３２は、子供の皮膚に対する快適性のために選択された内側層と、通気性、ファッション性、汚れ防止性等のために選択された外側層とともに形成され得る。いくつかの実施形態では、上半身支持体パネル３３２は、快適性のために選択された中心部分と、通気性、安全性等のために選択された側方部分とともに形成され得る。上半身支持体パネル３３２は、直線縁、幅増加または幅減少の領域のためのテーパ縁を有する、あるいは子供またはユーザの快適性または安全性のために別様に構成され得る。上半身支持体部分３３０はまた、ハーネスパネル３３３を含み得る。肩ストラップ３５０の第１の端部は、ハーネスパネルの上部分に接合し得、肩ストラップの第２の端部は、ハーネスパネル３３３の下部分に接合し得る。
【００４７】
ハンモック部分３２０は、腰ベルト３１０または他の構造と上半身支持体部分３３０との間に形成され得る。ハンモック部分３２０は、側方縁３２２、３２４と、腰ベルト３１０またはキャリア３００の他の部分に結合される第１の端部分３２６と、上半身支持体部分３３０に結合される第２の端部分３２８と、側方縁３２２、３２４、第１の端部分３２６、および第２の端部分３２８間に延びる、中心ハンモック部分３２５とを備え得る。ハンモック部分３２０の側方縁３２２および３２４は、直線、湾曲、または側方にテーパ状であり得る。
【００４８】
ハンモック部分３２０は、単一材料の部品から形成され得るか、あるいは複数の材料の部品、複数の材料の層、または複数の材料から形成され得る。上半身支持体部分３３０とハンモック部分３２０との間の接合部は、実質的に、継ぎ目のない遷移であり得る。例えば、一実施形態では、ハンモック部分３２０および上半身支持体パネル３３２は、１つ以上の材料の層の単一構造を備え得る。他の実施形態では、接合部は、上半身支持体部分３３０とハンモック部分３２０との間を区切る継ぎ目、縁、または他の特徴を含み得る。
【００４９】
上半身支持体部分３３０の側方縁は、内向きにテーパ状になり、ハンモック部分１２０の側方縁３２２および３２４（図２Ａ）に遷移し、側面脚部開口部の上縁としての機能を果たし得る、水平傾斜または湾曲遷移縁部分を形成し得る。キャリア３００が装着されると、上半身支持体部分３３０は、遷移縁および座部縁によって形成される開口部を残して、子供の側面を包み込み得る（例えば、図１Ａおよび１Ｃに図示されるように）。子供の脚部および腕は、遷移縁の下で子供保持領域の外へ通り得る。
【００５０】
腿支持ストラップ３４０は、ハンモック中心部分３２５の両側に延びるように提供されることができる。各腿支持ストラップは、第１の端部分３４２と、第２の端部分３４４とを含むことができる。第１の腿ストラップ側縁および第２の腿ストラップ側縁は、第１の端部分から第２の端部に延びることができる。各腿支持ストラップ３４０の第１の端部分３４２は、腰ベルト３１０、ハンモック部分３２０、または他の構造に結合されることができ、第２の端部分３４４は、キャリアが装着されている場合、第１の端部分が第２の端部分より内向きに（装着者により近く）なるように、上半身支持体部分３３０または他の構造に結合されることができる。腿支持ストラップ３４０は、使用時、子供の腿の下およびその周囲を通過するように構成され得る。
【００５１】
各腿支持ストラップ３４０の端部分のうちの少なくとも１つは、選択的に結合され得る。故に、キャリア３００は、第１の端部分３４２または第２の端部分３４４を固定するための固定機構を含むことができる。固定機構は、限定ではないが、ボタン、スナップ、ｄリングおよびクリップまたはフック、面ファスナ材料のパッチ、または他の固定機構等の任意の好適な機構を含むことができる。ある場合には、端部分は、複数の場所において、固定されることができる。
【００５２】
図３の実施形態では、腿支持ストラップ３４０の第１の端部分３４２は、ハンモック部分３２０、腰ベルト３１０、または、キャリア３００が装着されると子供保持領域の外向き側となるキャリア３００の他の部分に縫合されるか、接着されるか、それと単一部品として形成されるか、または別様にそれに固定して接合される。第１の端部分３４２は、腿支持ストラップ３４０が外向きに（装着者から離れるように）揺動することを可能にする、可撓性ヒンジを形成する様式において、キャリア３００の別の部分に結合され得る。ヒンジ３６０は、限定ではないが、腿支持ストラップ３４０の第１の端部縁をハンモック部分３２０の側方縁３２２または３２４あるいは他の構造に縫合または別様に接合することを含む、任意の好適な機構によって形成され得る。各ヒンジの回転軸は、キャリア３００が平坦構成にあるとき、キャリア３００の側方中心線に平行に、または別の角度にあるように選択されることができる。一実施形態によると、各ヒンジは、回転軸が、ヒンジの第１の端部からヒンジの第２の端部に側方に傾斜するように向けられ、第１の端部は、上半身支持体部分３３０により近接する端部である。ヒンジ軸は、側方中心線に対して所望の角度で傾斜し得るが、好ましくは、４５度未満、さらにより好ましくは、２５度未満で傾斜する。いくつかの実施形態では、ヒンジ軸は、キャリアが平坦構成にあるとき、角度１０度〜２５度で側方中心線に対して外向きに傾斜する。
【００５３】
第２の端部分３４４は、キャリア３００に選択的に結合されることができる。上半身部分３３０は、各腿支持ストラップ３４０が、複数の場所に選択的に固定され得るように、側方中心線の両側に複数のボタンまたは他の固定機構を含み得る。第２の端部分３４４は、子供の腿の下を通過する、縁３３４および３３６の部分が、子供の膝を持ち上げるために、子供の臀部および骨盤より高くなるように、上半身部分３３０に結合し得る。加えて、腿支持ストラップ３４０の構造は、子供の腿の内側に巻き付く、側縁３３４および３３６の部分が、子供の脚部の開脚を促し得るように選択されることができる。第２の端部分３４４は、キャリア３００が装着されると、各腿支持ストラップ３４０の第２の端部（装着者からより遠い端部）が、第１の端部より高くなるように、上半身部分３３０に結合し得る。第２の端部分３４４はまた、他の場所において、キャリア３００に固定し得る。
【００５４】
腿支持ストラップ３４０は、使用時、子供の腿の下およびその周囲を通過するように構成され得る。腿支持ストラップ３４０の第２の端部３４４が、上半身支持体部分３３０に結合されると、腿支持ストラップ３４０およびハンモック中心部分３２５および上半身支持体部分３３０は、第１の側縁から座部第２の側縁まで延びる、支持用籠型座部を形成する。座部第１の側縁は、第１の腿支持ストラップ３４０の側方外側側縁（例えば、第１の腿支持ストラップ３４０の側縁３３４）によって形成され、座部第２の側縁は、第２の腿支持ストラップ３４０の側方外側側縁（例えば、第２の腿支持ストラップ３４０の側縁３３６）によって形成される。
【００５５】
図３の実施形態は、前述と同様に、子供を支持することができる。しかしながら、図３の実施形態では、付勢機構は、端部腿支持ストラップ３４０の縁とハンモック部分３２０の縁との間に延びる、まち３９０を備えることができる。
【００５６】
キャリア３００は、調節可能カラー３７０を備え、子供の頭部および／または首を支持することができる。調節可能カラー３７０は、子供が面する方向（すなわち、内向きまたは外向き）、子供のサイズ、または他の基準に従って位置付けられ得る。調節可能カラー３７０は、別個の材料の部品または別個の材料から形成され、上半身支持体部分３３０に接合され得るか、あるいは調節可能カラー３７０および上半身支持体部分３３０は、調節可能カラー３７０が、上半身支持体部分３３０に折り畳み可能であり（例えば、可撓性ヒンジ３７５を中心として回転される）、調節可能カラー３７０が延長され得るように、同一材料または材料の部品から形成され得る。前述のように、調節可能カラー３７０は、固定機構を使用して、複数の位置に固定し得る。
【００５７】
チャイルドキャリア３００は、内向きに顔を向けた向き、または外向きに顔を向けた向きおよび正面保持、背面保持、側面保持位置に、子供を保持することができる。子供は、内向きに顔を向けた向き、または外向きに顔を向けた向きに座らされ得る。子供は、子供の体重が装着者の重心近傍となるように保持され得、子供が開脚したしゃがんだ位置に支持されるように、子供の腿および膝が、人間工学的に角度付けられる。
【００５８】
図４Ａおよび図４Ｂは、腿支持ストラップ４０２（例えば、図２Ａ−２Ｃの腿支持ストラップ１４０または図３の腿支持ストラップ３４０等）を固定することの一実施形態の概略表現である。一実施形態によると、腿支持ストラップ４０２および上半身支持体部分４０６（例えば、図２Ａ−２Ｃの上半身支持体部分１３０または図３の上半身支持体部分３３０等）は、対応する固定機構を含むことができる。固定機構は、限定ではないが、ボタン、スナップ、ｄリングおよびクリップまたはフック、面ファスナ材料のパッチ、または他の固定機構等の任意の好適な機構を含むことができる。上半身支持体部分４０６は、複数の取り着け点を含み得る。一例として、限定ではないが、各腿支持ストラップ４０２が複数の場所において固定され、座部の形状が調節されることを可能にし得るように、各腿支持ストラップ４０２の外向き端部部分は、ボタンホール４０８を含むことができ、上半身支持体部分４０６は、複数のボタン４１０を含むことができる。ボタン４１０（または、他の固定機構）は、パネルの下に隠されるか、または露出され得る。腿支持ストラップ４０２は、キャリアが装着されているときに固定および固定解除され得る。
【００５９】
キャリアはまた、各腿支持ストラップ４０２に結合される、付勢機構４１２を含むことができる。付勢機構は、弾性材料または他の材料から形成されることができ、必要に応じて、腿支持ストラップ４０２をキャリア１００の側方中心線に向かって側方に引っ張り、座部内の間隙を防止するように作用することができる。加えて、付勢機構４１２は、ハンモック部分４２０と腿支持ストラップ４０２との間の間隙を覆うように作用することができる。いくつかの実施形態による、布地ブリッジ２４０（図２Ａ、２Ｂ）またはまち３９０（図３）は、付勢機構４１２としての機能を果たすことができる。
【００６０】
図５Ａおよび図５Ｂは、子供を保持する、チャイルドキャリア１００の一実施形態の概略表現である。図５Ａおよび図５Ｂは、肩ストラップおよび腰ベルトが、体重を装着者に対して均一に分散させるためのハーネスを形成することができることを図示する。子供は、装着者５０２の重心に近接して保持されることができる。さらに、外向きに顔を向けた位置（図５Ａ）および内向きに顔を向けた位置（図５Ｂ）の両方において、子供の胴体下部、骨盤、および臀部領域は、子供の腿および膝が、子供を人間工学的な開脚したしゃがんだ位置に支持するために、子供の腰回り（線５０４によって示されるように）より高く人間工学的に角度付けられるように、ハンモックおよび腿支持ストラップによって人間工学的に支持される。図５Ｃは、装着者によって装着されるチャイルドキャリア１００の一実施形態の概略表現であって、重心５０２の例示的位置を示す。
【００６１】
図６は、子供が、側面保持位置において、キャリア１００等のキャリア内に保持され得ることを図示する、概略表現である。ある場合には、側面保持位置における子供は、装着者の腰回りによって支持され得る。肩ストラップは、各上側肩ストラップ部分をキャリアの側方中心線の他側の下側肩ストラップ部分に接続することによって、側面保持位置に対応するように再構成されることができ、一方のストラップが装着者の胴体の周囲に略水平ループを形成し、他方のストラップがキャリアと反対側の装着者の肩を越えてループを作成する。図７は、子供が、背面保持位置において、キャリア１００等のチャイルドキャリア内に保持され得ることを図示する、概略表現である。したがって、本明細書に説明されるチャイルドキャリアの実施形態は、子供を人間工学的な開脚したしゃがんだ位置に支持しながら、正面、背面、および側面位置に位置付けられることができる。加えて、子供は、人間工学的な開脚したしゃがんだ位置に支持しながら、内向きに顔を向けた向きまたは外向きに顔を向けた向きに向けられることができる。
【００６２】
いくつかの実施形態によると、主に、堅いフレームを伴わずに、天然または合成ファイバの１つ以上の部品から形成される、キャリアは、主要本体と、腿支持巻き体と、腰ベルトとを有する柔軟なキャリアであることができる。他の実施形態では、キャリアは、フレーム要素を組み込むことができる。例えば、前述のような支持用キャリア座部は、フレームを組み込む、上半身支持体とともに利用されることができる。
【００６３】
本明細書で使用される場合、用語「ｃｏｍｐｒｉｓｅ（備えている）」、「ｃｏｍｐｒｉｓｉｎｇ（備えている）」、「ｉｎｃｌｕｄｅ（含む）」、「ｉｎｃｌｕｄｉｎｇ（含む）」、「ｈａｓ（有する）」、「ｈａｖｉｎｇ（有する）」、またはその任意の他の変形例は、非排他的包含を網羅することが意図される。例えば、要素のリストを備えている、プロセス、製品、物品、または装置は、必ずしも、それらの要素のみに限定されず、明示的にリストされていない、あるいはそのようなプロセス、物品、または装置に固有の他の要素を含み得る。さらに、別様に示されない限り、用語「ｏｒ（または）」は、包括的「または」を指し、排他的「または」を指すものではない。例えば、条件ＡまたはＢは、いかのうちの任意の１つによって充足される：Ａは、真（または、存在）であって、Ｂは、偽（または、不在）である、Ａは、偽（または、不在）であって、Ｂは、真（または、存在）である、ならびにＡおよびＢの両方が、真の（または、存在）である。本明細書で使用されるように、以下の請求項を含め、「ａ」または「ａｎ」（および、先行詞が「ａ」または「ａｎ」であるときは、「ｔｈｅ」）によって先行される用語は、別様に請求項内で明確に示されない限り、そのような用語の単数形および複数形の両方を含む（すなわち、「ａ」または「ａｎ」の参照は、単数形のみまたは複数形のみを明確に示す）。また、本明細書の説明および以下の請求項全体を通して使用されるように、「ｉｎ（の中に）」の意味は、文脈によって明確に別様に示されない限り、「ｉｎ（の中に）」および「ｏｎ（の上に）」を含む。
【００６４】
加えて、本明細書に与えられる任意の実施例または例証は、いかようにも、それらがともに利用される任意の用語または複数の用語の制限、限定、またはその定義を表現するものとして、見なされない。代わりに、これらの実施例または例証は、ある特定の実施形態に関して説明されており、例証にすぎないものと見なされるべきである。当業者は、これらの実施例または例証とともに利用される任意の用語または複数の用語が、それとともに、または明細書のいずれかに与えられ得る、あるいは与えられない場合もある、他の実施形態を包含し、全てのそのような実施形態が、その用語または複数の用語の範囲内に含まれることが意図されることを理解するであろう。そのような非限定的実施例および例証を指定する用語として、「ｆｏｒ  ｅｘａｍｐｌｅ（例えば）」、「ｆｏｒ  ｉｎｓｔａｎｃｅ（例えば）」、「ｅ．ｇ．（例えば）」、「ｉｎ  ｏｎｅ  ｅｍｂｏｄｉｍｅｎｔ（一実施形態では）」が挙げられるが、それらに限定されない。
【００６５】
本明細書全体を通しての「ｏｎｅ  ｅｍｂｏｄｉｍｅｎｔ（一実施形態）」、「ａｎ  ｅｍｂｏｄｉｍｅｎｔ（ある実施形態）」、または「ａ  ｓｐｅｃｉｆｉｃ  ｅｍｂｏｄｉｍｅｎｔ（具体的実施形態）」、あるいは類似専門用語の参照は、実施形態に関連して説明される特定の特徴、構造、または特性が、少なくとも、一実施形態に含まれ、必ずしも、全実施形態に存在しなくてもよいことを意味する。したがって、語句「ｉｎ  ｏｎｅ  ｅｍｂｏｄｉｍｅｎｔ（一実施形態では）」、「ｉｎ  ａｎ  ｅｍｂｏｄｉｍｅｎｔ（ある実施形態では）」、または「ｉｎ  ａ  ｓｐｅｃｉｆｉｃ  ｅｍｂｏｄｉｍｅｎｔ（具体的実施形態では）」、あるいは本明細書全体を通した種々の場所における類似専門用語の個別の表出は、必ずしも、同一の実施形態を参照するわけではない。さらに、任意の特定の実施形態の特定の特徴、構造、または特性は、任意の好適な様式において、１つ以上の他の実施形態と組み合わせられ得る。本明細書に説明および図示される実施形態の他の変形例および修正も、本明細書の教示に照らして可能であって、本発明の精神および範囲の一部として見なされるべきであることを理解されたい。
【００６６】
本明細書の説明では、多数の具体的詳細が、構成要素および／または方法の実施例等、本発明の実施形態の完全理解を提供するために提供される。しかしながら、当業者は、実施形態が、具体的詳細のうちの１つ以上を伴わずに、あるいは他の装置、システム、アセンブリ、方法、構成要素、材料、部品、および／または同等物を伴って、実践可能であり得ることを認識するであろう。他の事例では、公知の構造、構成要素、システム、材料、または動作は、本発明の実施形態の側面を曖昧にすることを回避するために、具体的には、詳細に図示または説明されない。本発明は、特定の実施形態を使用することによって図示され得るが、これは、任意の特定の実施形態ではなく、本発明をそれに限定するわけでもなく、当業者は、追加の実施形態が、容易に理解可能であって、本発明の一部であることを認識するであろう。
【００６７】
また、図面／図に描写される要素のうちの１つ以上は、特定の用途に従って有用であるようなある場合には、より分離される、または統合される様式において、実装される、あるいは除去される、または動作不能にさえされ得ることを理解されたい。加えて、図面／図の任意の信号矢印は、別様に具体的に記載されない限り、限定ではなく、例示にすぎないと見なされるべきである。
【００６８】
本発明は、その具体的実施形態に関して説明されたが、これらの実施形態は、単に、例証であって、本発明の制限ではない。本発明の図示される実施形態の本明細書における説明は、要約および概要における説明を含め、包括的であること、または本発明を本明細書に開示される精密な形態に限定することを意図しない（および、特に、要約または概要内の任意の特定の実施形態、特徴、または機能の包含は、発明の範囲をそのような実施形態、特徴、または機能に限定することを意図しない）。むしろ、説明は、当業者に、要約または概要に説明される任意のそのような実施形態特徴または機能を含め、本発明を任意の特に説明される実施形態、特徴、または機能に限定せず、本発明を理解するための背景を提供するために、例証的実施形態、特徴、および機能を説明することを意図する。本発明の具体的実施形態およびその実施例は、例証目的のためだけに本明細書に説明されるが、種々の均等修正も、当業者が認識および理解するであろうように、本発明の精神および範囲内において可能である。示されるように、これらの修正は、本発明の図示される実施形態の前述の説明に照らして、本発明に行われ得、本発明の精神および範囲内に含まれるものとする。したがって、本発明は、その特定の実施形態を参照して、本明細書に説明されるが、様々な修正、種々の変更および代用が、前述の開示内で意図され、いくつかの事例では、記載されるような本発明の範囲および精神から逸脱することなく、本発明の実施形態のいくつかの特徴が、他の特徴の対応する使用を伴わずに、採用されるであろうことを理解されるであろう。したがって、多くの修正は、特定の状況または材料を本発明の本質的範囲および精神に適合させるために行われ得る。
【００６９】
本発明は、以下の項目をさらに提供する。
（項目１）
チャイルドキャリアであって、
腰ベルトと、
上半身支持体およびハンモックを形成している１つ以上のパネルであって、前記ハンモックは、前記腰ベルトに結合されている第１の端部分および前記上半身支持体に結合されている第２の端部分を有する、パネルと、
前記ハンモックの各側に延びている腿支持ストラップであって、各腿支持ストラップは、前記ハンモックに近接する内向き端部部分と、外向き端部部分とを有し、前記外向き端部部分は、複数の位置において前記上半身支持体に選択的に結合するために構成され、前記ハンモックおよび前記腿支持ストラップは、内向きに顔を向けた向きおよび外向きに顔を向けた向きにおいて、人間工学的な開脚したしゃがんだ位置に子供を支持するための調節可能座部を形成するように適合され、前記座部の形状は、前記腿支持ストラップの前記外向き端部部分が前記上半身支持体に結合される位置に応じて順応する、腿支持ストラップと、
一組の肩ストラップであって、各肩ストラップは、前記上半身支持体に結合されている第１の端部、および前記上半身支持体に結合されている第２の端部を有する、肩ストラップと
を備えている、チャイルドキャリア。
（項目２）
前記上半身支持体は、前記腿支持ストラップの各々のための複数の取り着け点を備えている、項目１に記載のチャイルドキャリア。
（項目３）
各腿支持ストラップの前記外向き端部は、前記上半身支持体上の機械的留め具を受け取るための開口部を備えている、項目１または項目２のいずれか一項に記載のチャイルドキャリア。
（項目４）
各腿支持ストラップは、パッド入りである、項目１から項目３のいずれか一項に記載のチャイルドキャリア。
（項目５）
各腿支持ストラップは、前記外向き端部が前記上半身支持体に結合されている場合、子供の骨盤、臀部、および腿の一部を巻くようにサイズ決定されている、項目１から項目４のいずれか一項に記載のチャイルドキャリア。
（項目６）
前記キャリアは、正面保持、背面保持および側面保持位置において、装着者によって選択的に装着されるように適合されている、項目１から項目５のいずれか一項に記載のチャイルドキャリア。
（項目７）
前記キャリアは、正面外向きに顔を向けた向き、および正面内向きに顔を向けた向きの各々において、前記人間工学的な開脚したしゃがんだ位置に前記子供を支持するように適合されている、項目１から項目６のいずれか一項に記載のチャイルドキャリア。
（項目８）
前記チャイルドキャリアは、前記装着者に対して前記子供の体重を均一に分散させるように適合されている、項目１から項目７のいずれか一項に記載のチャイルドキャリア。
（項目９）
前記上半身支持体の側方中心線の第１の側への第１の複数のボタンであって、前記腿支持ストラップのうちの第１のものは、前記第１の複数のボタンに選択的に結合可能である、第１の複数のボタンと、
前記上半身支持体の前記側方中心線の第２の側への第２の複数のボタンであって、前記腿支持ストラップのうちの第２のものは、前記第２の複数のボタンに選択的に結合可能である、第２の複数のボタンと
をさらに備えている、項目１から項目８のいずれか一項に記載のチャイルドキャリア。
（項目１０）
各腿支持ストラップは、前記外向き端部部分が前記上半身支持体に結合されていないとき、前記内向き端部部分から前記外向き端部部分に側方外向きに角度付けられている、項目１から項目９のいずれか一項に記載のチャイルドキャリア。
（項目１１）
前記上半身部分に結合されている調節可能カラーをさらに備え、前記調節可能カラーは、延長位置および非延長位置に固定可能である、項目１から項目１０のいずれか一項に記載のチャイルドキャリア。
（項目１２）
前記腰ベルトは、調節可能腰ベルトを備えている、項目１から項目１１のいずれか一項に記載のチャイルドキャリア。
（項目１３）
子供をチャイルドキャリア内に位置付ける方法であって、
腰ベルトをユーザの腰の周囲に締めることと、
前記ベルトに結合されている内向き端部部分および上半身支持体に結合されている外向き端部部分を有するハンモック内に子供を位置付けることと、
第１の腿支持ストラップを前記子供の第１の腿下に巻き、第２の腿支持ストラップを前記子供の第２の腿下に巻くことであって、各腿支持ストラップは、内向き端部および外向き端部を有する、ことと、
複数の取り着け点から選択された取り着け点において、前記第１の腿ストラップの外向き端部を前記上半身支持体に留め、前記第２の腿ストラップの外向き端部を前記上半身支持体に留めることにより、前記ハンモック、前記第１の腿支持ストラップ、および前記第２の腿支持ストラップによって形成される座部の形状を調節することであって、前記座部は、内向きに顔を向けた向き、および外向きに顔を向けた向きにおいて、人間工学的な開脚したしゃがんだ位置に前記子供を支持するように適合されている、ことと、
少なくとも一方の腕を一組の肩ストラップの中に挿入することであって、各肩ストラップは、前記上半身支持体に結合されている第１の端部、および前記上半身支持体に結合されている第２の端部を有する、ことと
を含む、方法。
（項目１４）
前記子供を内向きに顔を向けた向きに向けることをさらに含み、前記座部は、前記内向きに顔を向けた向きにおいて、前記人間工学的な開脚したしゃがんだ位置に前記子供を支持する、項目１３に記載の方法。
（項目１５）
前記第１の腿支持ストラップおよび第２の腿支持体を使用して、前記座部の形状を再調節することと、
前記子供を外向きに顔を向けた向きに向け直すことであって、前記座部は、前記外向きに顔を向けた向きにおいて、前記人間工学的な開脚したしゃがんだ位置に前記子供を支持する、ことと
をさらに含む、項目１３または項目１４のいずれか一項に記載の方法。
（項目１６）
前記チャイルドキャリアは、正面保持位置、側面保持位置、および背面保持位置に装着されるように適合されている、項目１３から項目１５のいずれか一項に記載の方法。
（項目１７）
調節可能カラーを延長位置または非延長位置に固定することをさらに含む、項目１３から項目１５のいずれか一項に記載の方法。
（項目１８）
前記腰ベルトを締めることは、前記腰ベルトを固定することをさらに含む、項目１３から項目１７のいずれか一項に記載の方法。
（項目１９）
前記一組の肩ストラップを固定することをさらに含み、それによって、前記子供の体重の重心は、前記ユーザにより近接して支持される、項目１１から項目１８のいずれか一項に記載の方法。
（項目２０）
前記チャイルドキャリアは、
前記上半身支持体の側方中心線の第１の側への第１の複数のボタンであって、前記腿支持ストラップのうちの第１のものは、前記第１の複数のボタンに選択的に結合可能である、第１の複数のボタンと、
前記上半身支持体の前記側方中心線の第２の側への第２の複数のボタンであって、前記腿支持ストラップのうちの第２のものは、前記第２の複数のボタンに選択的に結合可能である、第２の複数のボタンと
をさらに備えている、項目１１から項目１９のいずれか一項に記載の方法。
（項目２１）
各腿支持ストラップの前記外向き端部は、前記上半身支持体上の機械的留め具を受け取るための開口部を備えている、項目１１から項目２０のいずれか一項に記載の方法。
（項目２２）
各腿支持ストラップは、パッド入りである、項目１１から項目２１のいずれか一項に記載の方法。
（項目２３）
各腿支持ストラップは、前記外向き端部部分が前記上半身支持体に結合されていないとき、前記内向き端部部分から前記外向き端部部分に側方外向きに角度付けられている、項目１１から項目２２のいずれか一項に記載の方法。
（項目２４）
前記キャリアは、前記上半身部分に結合されている調節可能カラーをさらに備え、前記調節可能カラーは、延長位置および非延長位置に固定可能である、項目１１から項目２３のいずれか一項に記載の方法。
【図１Ａ】
2016512124.tif 000003
【図１Ｂ】
2016512124.tif 000004
【図１Ｃ】
2016512124.tif 000005
【図２Ａ】
2016512124.tif 000006
【図２Ｂ】
2016512124.tif 000007
【図２Ｃ】
2016512124.tif 000008
【図３】
2016512124.tif 000009
【図４Ａ】
2016512124.tif 000010
【図４Ｂ】
2016512124.tif 000011
【図５Ａ】
2016512124.tif 000012
【図５Ｂ】
2016512124.tif 000013
【図５Ｃ】
2016512124.tif 000014
【図６】
2016512124.tif 000015
【図７】
2016512124.tif 000016
【国際調査報告】
2016512124.tif 000017
2016512124.tif 000018